(57)【要約】携帯電話機（１）のＳＩＭカード（２ａ）にドメスティック・サイト（１４）を備えたドメスティック・ブラウザー（１２）がプラグインとして追加される。携帯電話機のユーザーが、電話機によってインターネット・ページのようなページにアクセスする場合、ドメスティック・ブラウザーがドメスティック・サイトの第１のファイル（１４ａ）のページ識別子を検索し、当該ページに直ちにアクセスできるか否かを確認する。直ちにアクセスできる場合は、ドメスティック・サイトの別のメモリーである第２のファイルからデータを取り出して実行し表示する。他方、ドメスティック・サイト（１４ａ）において前記識別子を探し出すことができなかった場合、ドメスティック・ブラウザー（１２）は単に否定応答を返し、その時点において、ＳＩＭカード（２ａ）のＳＩＭブラウザー（１０）がページ要求を送信しインターネットから当該ページを検索する。携帯電話機（１）のユーザーはドメスティック・サイト（１４）にページを保存するか否かの判断を下さず、代わりにモバイル・オペレーターまたはページ・ライターがＷＭＬページのコンテンツにコードを書き込むことにより決定する。また、モバイル・オペレーターは携帯電話機（１）にページをプッシュすることにより、ユーザーの介入を必要とせずに、ドメスティック・サイト（１４）へのページの保存、あるいはページのアップデートまたは削除をすることができる。
2005524898.tif 000002
【特許請求の範囲】
【請求項１】
データを含んでいるページをモバイル機器に保存するための該モバイル機器における方法であって、
無線通信によって送信されたページを受信するステップ、
前記受信したページに該ページの保存を指示するページ保存命令が含まれているか否かを判定するステップ、および
前記ページ保存命令が含まれている場合、前記ページを保存するステップ
の各ステップを有して成ることを特徴とする方法。
【請求項２】
前記ページがページ識別子と共に受信され、
前記保存ステップにおいて前記識別子が前記ページとは別に保存されることを特徴とする請求項１記載の方法。
【請求項３】
前記判定ステップが、前記ページ保存命令がページ保存アップデート命令であるか否かの判定を含み、
前記ページ保存命令が前記ページ保存アップデート命令のとき、前記保存ステップにおいて既存ページのコンテンツが前記受信したページのコンテンツに置換されることを特徴とする請求項１または２記載の方法。
【請求項４】
前記置換ステップにおいて、前記既存ページのページ識別子が置換されないことを特徴とする請求項３記載の方法。
【請求項５】
前記ページが前記モバイル機器からの該ページ要求に応えて受信されることを特徴とする請求項１〜４いずれか１項記載の方法。
【請求項６】
前記ページが前記モバイル機器からの要求なしに受信されることを特徴とする請求項１〜４いずれか１項記載の方法。
【請求項７】
前記受信したページが該ページの実行を指示するページ実行命令を含んでいる否かを判定するステップ、および
前記ページ実行命令が含まれている場合、前記ページを実行するステップ
の各ステップを更に有して成ることを特徴とする請求項１〜６いずれか１項記載の方法。
【請求項８】
前記受信したページが削除すべき既存のページを特定するページ削除命令を含んでいる否かを判定するステップ、および
前記ページ削除命令が含まれている場合、前記特定されたページを記憶域から削除するステップ
の各ステップを更に有して成ることを特徴とする請求項１〜７いずれか１項記載の方法。
【請求項９】
前記受信したページが前記モバイル機器のユーザーからの入力を求めるアプリケーション・ページであることを特徴とする請求項１〜８いずれか１項記載の方法。
【請求項１０】
ユーザーからの入力を受けてページ要求を送出するステップ、
前記要求されたページが既に保存されているか否かを判定するステップ、および
該ページが既に保存されている場合、該ページを記憶域から取得するステップ、または該ページが保存されていない場合、該ページの無線要求を送信するステップ
の各ステップを更に有して成ることを特徴とする請求項１〜９いずれか１項記載の方法。
【請求項１１】
前記要求されたページが既に保存されているか否かを判定するステップが、
該ページの識別子が既に保存されているか否かを判定するステップ、および
該ページの識別子が保存されていない場合、該ページのコンテンツに関し前記モバイル機器をシークせずに該ページが保存されていない旨の判定結果を返すステップ
の各ステップを有して成ることを特徴とする、少なくとも請求項２に従属したときの請求項１０記載の方法。
【請求項１２】
前記無線要求が前記送出されたページ要求と同じフォーマットであることを特徴とする請求項１０または１１記載の方法。
【請求項１３】
前記モバイル機器が携帯電話機であることを特徴とする請求項１〜１２いずれか１項記載の方法。
【請求項１４】
これまで添付図面２〜８を参照しながら詳述した、該添付図面に図解のデータを含んでいるページをモバイル機器に保存するための該モバイル機器における方法。
【請求項１５】
データを含んでいるページをモバイル機器に保存すための方法であって、
請求項１〜１４いずれか１項記載の方法と、
前記モバイル機器が受信する予定のページを無線送信するステップ
とから成ることを特徴とする方法。
【請求項１６】
前記ページがページ識別子と共に送信されることを特徴とする請求項１５記載の方法。
【請求項１７】
前記送信ステップが、前記モバイル機器からのページ要求に応えて実行されることを特徴とする請求項１５または１６記載の方法。
【請求項１８】
前記送信ステップが、前記モバイル機器からの要求によるものではないことを特徴とする請求項１５または１６記載の方法。
【請求項１９】
前記送信ステップに先立ち、インターネット・サーバーのようなデータベースから前記ページを取得するステップを更に有して成ることを特徴とする請求項１５〜１８いずれか１項記載の方法。
【請求項２０】
前記送信ステップが無線インターネット・ゲートウェイを介した前記ページの送信を含んでいることを特徴とする請求項１５〜１９いずれか１項記載の方法。
【請求項２１】
これまで添付図面２〜８を参照しながら詳述した、該添付図面に図解のデータを含んでいるページをモバイル機器に保存するための方法。  
【請求項２２】
通信システム用モバイル機器であって、
送信されたページを受信する受信機、
前記受信したページに該ページの保存を指示するページ保存命令が含まれているか否かを判定する判定手段、および
前記ページ保存命令が含まれている場合、前記ページを保存する保存手段
を有して成ることを特徴とする機器。
【請求項２３】
前記保存手段が、更に前記ページと共に受信されたページ識別子を該ページとは別に保存できることを特徴とする請求項２２記載の機器。
【請求項２４】
前記保存手段が、一部がページ識別子の保存、他の部分がページのコンテンツの保存に使用される少なくとも１つのメモリーを備えていることを特徴とする請求項２３記載の機器。
【請求項２５】
前記保存手段が、１つがページ識別子の保存、別の１つがページのコンテンツの保存に使用される少なくとも２つの独立したメモリーを備えていることを特徴とする請求項２３記載の機器。
【請求項２６】
前記少なくとも１つのメモリー、または前記１つのメモリーおよび別の１つのメモリーがそれぞれキャッシュ・メモリーから成っていることを特徴とする請求項２４または２５記載の機器。
【請求項２７】
前記判定手段が、更に前記ページ保存命令がページ保存アップデート命令であるか否かを判定でき、
前記ページ保存命令がページ保存アップデート命令の場合、前記保存手段が更に既存ページのコンテンツを前記受信したページのコンテンツに置換できることを特徴とする請求項２２〜２６いずれか１項記載の機器。
【請求項２８】
前記保存手段が、コンテンツを置換するとき、前記既存保存ページの前記ページ識別子を置換しないことを特徴とする、少なくとも請求項２３に従属したときの請求項２７記載の機器。
【請求項２９】
前記判定手段が受信したページが該ページの実行を指示するページ実行命令を含んでいるか否かを更に判定でき、
前記ページ実行命令が含まれている場合、前記ページを実行する実行手段を更に備えていることを特徴とする請求項２２〜２８いずれか１項記載の機器。
【請求項３０】
前記判定手段が受信したページが削除すべき既存のページを特定するページ削除命令を含んでいるか否かを更に判定でき、
前記ページ削除命令が含まれている場合、前記保存手段が更に前記特定されたページを該保存手段から削除できることを特徴とする請求項２２〜２９いずれか１項記載の機器。
【請求項３１】
前記受信したページが前記モバイル機器のユーザーからの入力を求めるアプリケーション・ページであることを特徴とする請求項２２〜３０記載の機器。
【請求項３２】
ユーザーからの入力を受けてページ要求を送出するページ要求送出手段、および
該ページ要求を無線送信する送信手段を更に備え、
前記判定手段が前記要求されたページが既に保存されているか否かを更に判定でき、
該ページが既に保存されている場合、前記保存手段が更に該ページを取得できることを特徴とする請求項２２〜３１いずれか１項記載の方法。
【請求項３３】
前記判定手段により前記要求されたページが保存されていないと判定されたときに限り、該ページ要求が無線送信されることを特徴とする請求項３２記載の機器。
【請求項３４】
前記判定手段が、前記要求されたページが既に保存されているか否かを判定するとき、
該ページの識別子が既に保存されているか否かを判定し、
該ページの識別子が保存されていない場合、該ページのコンテンツに関し、前記保存手段をシークせずに該ページが保存されていない旨の判定結果を返すことを特徴とする少なくとも請求項２３に従属したときの請求項３２または３３記載の機器。
【請求項３５】
前記ページ要求送出手段が送出するページ要求と同じフォーマットで前記無線要求を送信できることを特徴とする請求項３２〜３４いずれか１項記載の機器。
【請求項３６】
前記受信機が非送信請求無線送信ページを受信でき、
前記判定手段および保存手段が該受信したページに対応できることを特徴とする請求項２２〜３５いずれか１項記載の機器。
【請求項３７】
前記受信機、判定手段、および保存手段が、ユーザーの介入を必要とせず、前記送信された非送信請求ページに自動的に対応できることを特徴とする請求項３６記載の機器。
【請求項３８】
ブラウザーを更に備えていることを特徴とする請求項２２から３７いずれか１項記載の機器。
【請求項３９】
前記判定手段および保存手段が前記ブラウザーに備えられていることを特徴とする請求項３８記載の機器。
【請求項４０】
前記判定手段および保存手段がＳＩＭカードに備えられていることを特徴とする請求項２２〜３９いずれか１項記載の機器。
【請求項４１】
携帯電話機であることを特徴とする請求項２２〜４０記載の機器。
【請求項４２】
これまで添付図面２〜８を参照しながら詳述した、該添付図面に図解の動作を実質的に為すよう構成および配置された通信システム用モバイル機器。
【請求項４３】
請求項１〜１４いずれか１項記載の方法に従って動作できる請求項２２〜４２いずれか１項記載の機器。
【請求項４４】
請求項２２〜４２いずれか１項記載の機器に用いられるＳＩＭカードであって、前記判定手段および保存手段を備えていることを特徴とするカード。
【請求項４５】
データを含んでいるページをモバイル機器に保存する通信システムであって、
請求項２２〜４３いずれか１項記載の機器、
コンテンツを含んでいるページを無線通信によって前記モバイル機器に送信する送信手段、および
前記送信手段に送信ページを供給するページ供給手段
を有して成ることを特徴とするシステム。
【請求項４６】
前記送信手段が更にページ識別子と共に前記ページを送信できることを特徴とする請求項４５記載のシステム。
【請求項４７】
前記送信手段およびページ供給手段が、更に前記モバイル機器からのページ要求に応じ該ページを送信できることを特徴とする請求項４５または４６記載のシステム。
【請求項４８】
前記送信手段およびページ供給手段が、更に前記モバイル機器からの要求なしに、非送信請求ページを送信できることを特徴とする請求項４５〜４７いずれか１項記載のシステム。
【請求項４９】
前記ページ供給手段が無線インターネット・ゲートウェイを介して前記ページを前記モバイル機器に供給できることを特徴とする請求項４５〜４８記載のシステム。
【請求項５０】
これまで添付図面２〜８を参照しながら詳述した、該添付図面に図解の動作を実質的に為すよう構成および配置された通信システム。
【発明の詳細な説明】
【技術分野】
【０００１】
本発明は通信システム、前記通信システムに対応するモバイル機器、および前記モバイル機器にページを保存する方法に関するものである。具体的にはブラウザーの範疇に属すると見なされる態様に関連し、携帯電話機、携帯情報端末（ＰＤＡ）、ラップトップ・コンピューター等のモバイル機器に情報をダウンロードする方法に関するものである。
【背景技術】
【０００２】
既存の技術を用いて携帯電話機によるデータ通信が可能である。既存の技術にはショート・メッセージ（ＳＭ）および汎用パケット無線システム（ＧＰＲＳ）があり、更に第三世代の技術が今後数年以内に完全に実用化されるものと期待されている。実際のデータ通信は、通常携帯電話機に内蔵されているワイヤレス・アプリケーション・プロトコル（ＷＡＰ）、または一般に加入者識別モジュール（ＳＩＭ）に内蔵されているブラウザーを介して行うことができる。
【０００３】
モバイル機器の標準的なブラウジング過程を図１に概略的に示す。電話機１は独自のブラウザーを有するＳＩＭカード２を備えている。何等かの情報またはデータ（例えば、ウェブ・ページ）を探している携帯電話機１のユーザーは、電話機のキーパッドを使用して当該情報を要求する。ＷＡＰの場合、まず前記電話機は、ＷＡＰゲートウェイに対するオープン・コネクションが確立しているか否をチェックする。かかるコネクションが存在していない場合には、プロバイダーにダイヤルアップして必要なコネクションを取得する。また、かかるコネクションが存在している場合には、ＷＡＰプロトコルを使用する。前記情報要求はＷＡＰゲートウェイによってＵＲＬ要求に翻訳されインターネットに送出される。
【０００４】
ＳＭの場合は、ＳＩＭによって必要なＳＭ形式の要求バイトコードが生成され、サービス・プロバイダー（例えば、電話サービス提供会社）のショート・メッセージ・サービス・センター（ＳＭＳＣ）に送られる。モバイル・オペレーター側において、前記バイトコードはワイヤレス・インターネット・ゲートウェイ（ＷＩＧ）にパスされる。前記情報要求はＷＩＧによりＵＲＬ要求に翻訳されインターネット/イントラネットに送出される。ＷＩＧ４において、ＵＲＬ要求は、通常のＨＴＴＰ要求としてインターネット/イントラネットを介し要求されたＷＭＬコンテンツを格納しているサーバー５に送られる。
【０００５】
検索したページのコンテンツは、テキスト形式のワイヤレス・マークアップ・ランゲージ（ＷＭＬ）コードであり、インターネット/イントラネットを介し、ＷＩＧ４に送られる。ＷＩＧ４において、前記コードがコンパイルされバイトコードに変換されてＳＭＳＣ３を介し電話機１、具体的にはＳＩＭカード２のブラウザーに送られ当該ページが実行される。即ち、一般に電話機１のスクリーンに表示される。
【０００６】
すべてのモバイル機器がＳＩＭカードまたはそれと同等な取り外し可能なカードを備えている訳ではないが、適切なブラウザー、メモリー、プロセッサー、およびソフトウェアを別の方法で備えている他のモバイル機器も同様のシステムおよび方法を採用している。
【０００７】
前記のような一般的なシステムは幾つかの問題を抱えている。第１に、スピードが遅いことである。各ページ、一組のページ、あるいはアプリケーションをインターネット・サーバー５から個別にダウンロードする必要がある。また、かかる要求は、例えば、新しいページを探索している別の人が送出した要求と競合する場合があり、かかる要求の数が多ければ多いほどシステムのスピードは遅くなる。更に、モバイル機器のＳＩＭカードまたはそれと同等のカードに前記のようなサービスを構築するためにはＳＩＭアプリケーション・ツールキット（ＳＡＴ）が必要である。
【発明の開示】
【発明が解決しようとする課題】
【０００８】
本発明の目的は前記１つ以上の課題を少なくとも一部解決することである。
【課題を解決するための手段】
【０００９】
本発明の１つの態様によれば、データを含んでいるページをモバイル機器に保存すためのモバイル機器における方法が提供される。前記方法は、無線通信によって送信されたページを受信するステップ、前記受信したページに当該ページの保存を指示するページ保存命令が含まれているか否かを判定するステップ、および前記ページ保存命令が含まれている場合、前記ページを保存するステップの各ステップを有して成ることを特徴とする方法である。
【００１０】
本発明の第２の態様によれば、データを含んでいるページをモバイル機器に保存する方法が提供される。前記方法は、第１の態様による方法と、前記モバイル機器が受信する予定のページを無線送信するステップとから成ることを特徴とする方法である。
【００１１】
本発明の第３の態様によれば、通信システム用モバイル機器が提供される。前記機器は送信されたページを受信する受信機、受信したページに当該ページの保存を指示するページ保存命令が含まれているか否かを判定する判定手段、および前記ページ保存命令が含まれている場合、前記ページを保存する保存手段を有して成ることを特徴とする機器である。
【００１２】
本発明の第４の態様によれば、データを含んでいるページをモバイル機器に保存する通信システムが提供される。前記通信システムは、前記第３の態様による機器、コンテンツを含んでいるページを無線通信によって前記モバイル機器に送信する送信手段、前記送信手段に送信ページを供給するページ供給手段を有して成ることを特徴とするシステムである。
【００１３】
前記各々の態様において、前記モバイル機器は携帯電話機またはＰＤＡのような機器であってよい。
【００１４】
例えば、本発明はドメスティック・サイトを有するドメスティック・ブラウザーをＳＩＭカードに追加のプラグインとして備えた携帯電話機を提供する。ユーザーが前記電話機によって、例えば、インターネット・ページのようなページにアクセスする場合、前記ドメスティック・ブラウザーがドメスティック・サイトの第１のファイルのページ識別子を検索し、当該ページに直ちにアクセスできるか否かを確認する。直ちにアクセルできる場合は、ドメスティック・サイトの第２のファイルからデータを取り出して実行し表示する。他方、前記ドメスティック・サイトにおいて前記識別子を探し出すことができなかった場合、前記ドメスティック・ブラウザーは単に否定応答を返し、その時点において、ＳＩＭカードのＳＩＭブラウザーがページ要求を送信しインターネットから当該ページを検索する。前記携帯電話機のユーザーはドメスティック・サイトにページを保存するか否かの判断は下さず、代わりにモバイル・オペレーターまたはページ・ライターが、ＷＭＬページのコンテンツにコードを書き込むことにより決定する。また、モバイル・オペレーターは前記携帯電話機にページをプッシュ（インターネット配信）することにより、ユーザーの介入を必要とせずに、前記ドメスティック・サイトへのページの保存、あるいはページのアップデートまたは削除をすることができる。
【発明を実施するための最良の形態】
【００１５】
以下、添付図面を参照しながら、例を通して本発明を更に詳細に説明するが、本発明は以下の例に限定されるものではない。
【００１６】
以下の実施の形態において、本発明はＳＩＭカードのＳＩＭブラウザーの拡張機能として例示される。しかし、本発明はＳＩＭカードやそれと同等のカードを備えた機器に限定されるものではなく様々な方法で実施できる。
【００１７】
図２および３は、本発明の第１の態様によるＳＩＭカード２ａの概略図である。いずれの図においても、ＳＩＭカード２ａは、ＳＩＭブラウザー１０、ドメスティック・ブラウザー（ＤＯＭＢ）１２、およびドメスティック・サイト１４をこの順に接続して成っている。ドメスティック・ブラウザー１２は、ＤＯＭＢＩＮ１２ａおよびＤＯＭＢＯＵＴ１２ｂという２つのプラグインを備えている。ドメスティック・サイト１４は、ＥＦＵＲＬ１４ａおよびＥＦbytecode１４ｂという２つの基本ファイルを備えている。ＥＦＵＲＬ１４ａは、現在ドメスティック・サイトにコンテンツが保存されているＵＲＬのリストを記憶している。ファイルＥＦbytecode１４ｂは、実際のＵＲＬのコンテンツ・データをバイトコード形式で記憶している。２つのプラグイン、ＤＯＭＢＩＮ１２ａおよびＤＯＭＢＯＵＴ１２ｂは、それぞれ基本ファイルＥＦＵＲＬ１４ａおよびＥＦbytecode１４ｂに接続されている。
【００１８】
使用時、モバイル機器のユーザーが要求を発し、その要求がユーザーＵＲＬ要求に翻訳される。前記要求がＳＩＭブラウザー１０にパスされ、周知のシステムにおいては、そこからＳＭＳＣ３にパスされる。しかし、本発明の本実施の形態においては、前記ＵＲＬ要求は、まずドメスティック・ブラウザー１２、具体的には、プラグインＤＯＭＢＯＵＴ１２ｂによって捕捉される。
【００１９】
プラグインＤＯＭＢＯＵＴ１２ｂの役割は、図２に示すように、ＵＲＬ要求をすべてＳＩＭブラウザー１０で捕捉し、捕捉したＵＲＬ要求がドメスティック・サイト１４に既に保存されているか否かをチェックすることである。前記はファイルＥＦＵＲＬ１４ａを検索して捕捉したＵＲＬを探し出すことによって行われる。前記ＵＲＬが前記ファイルに保存されている場合には、それぞれのデータがファイルＥＦbytecode１４ｂから取り出されＳＩＭブラウザー１０にパスされ更に処理される。一方、前記ＵＲＬがファイルＥＦＵＲＬ１４ａに保存されていない場合には、前記ＵＲＬ要求は、例えば、後述する方法のような周知の方法によって処理される。
【００２０】
上記の観点において、本発明はキャッシュ機能によく似ている。しかし、本発明は第１ドメスティック・ブラウザーであるプラグインＤＯＭＢＩＮ１２ａの採用により、キャッシュ機能とは具体的に異なっている。前記プラグインはユーザーによる一般的なブラウジング操作においては通常呼び出されない。事実、第１の実施の形態においては、ユーザーが前記プラグインを起動することはできない。代わり、モバイル・ネットワークの提供会社、またはその他の指定サービス・プロバイダーであるモバイル・オペレーターによって起動される。
【００２１】
図３は第１ドメスティック・ブラウザーであるプラグインＤＯＭＢＩＮ１２ａの役割、および前記ドメスティック・サイト１４にＵＲＬおよびＵＲＬコンテンツを保存する方法またはそこから削除する方法を示す概略図である。
【００２２】
第１ドメスティック・ブラウザーであるプラグインＤＯＭＢＩＮ１２ａを起動する命令がモバイル・オペレーターから携帯電話機に送られる。前記携帯電話機において前記命令はＳＩＭブラウザー１０によって受信され、ドメスティック・ブラウザー１２、具体的にはプラグインＤＯＭＢＩＮ１２ａにパスされる。モバイル・オペレーターから送られる要求には、キャッシュに保存されているＵＲＬの削除、または特定のＵＲＬのアップデートまたはダウンロード要求が含まれている。前記オペレーター要求は、通常のＳＭメッセージ[例えば、ポイント・ツー・ポイント（ＳＭＳ  ＰＰ）]とは異なる特有のＳＭＳメッセージ形態を成し、基本的に、特別なプラグイン・コマンドが埋め込まれているバイトコード形式のＷＭＬページを含んでいる。前記特別なコマンドが、ＳＩＭブラウザー１０に対し、プラグインＤＯＭＢＩＮ１２ａを呼び出し当該削除またはアップデート/ダウンロードを実行するよう指示する。
【００２３】
削除の場合、プラグインＤＯＭＢＩＮ１２ａによって当該ＵＲＬがファイルＥＦＵＲＬ１４ａから削除され、対応するデータがファイルＥＦbytecode１４bから削除される。前記により占有していたスロットが解放され、別のＵＲＬのキャッシュ用として使用される。
【００２４】
前記オペレーターが、例えば、効率的な見地から、頻繁にアクセスされるアプリケーションまたはページを加入者のＳＩＭカード２ａにダウンロードすることを決定した場合にＵＲＬがダウンロードされる。また、前記オペレーターが、特定のページの利用を促進したいと考えることもある。その場合、プラグインＤＯＭＢＩＮ１２ａによって、当該ＵＲＬがファイルＥＦＵＲＬ１４ａの空きスロットに記憶され、そのコンテンツがファイルＥＦbytecode１４bの適切なスロットに記憶される。
【００２５】
アップデートの場合、新たに情報を入手してもファイルＥＦＵＲＬ１４ａは一般に変更されない。しかし、ファイルＥＦbytecode１４bのコンテンツ・データが削除され、新しいコンテンツ・データに置換される。
【００２６】
例示の実施の形態におけるドメスティック・ブラウザー１２は、ＳＩＭカード２ａ上で機能する既存のブラウザー１０に依存するものであり、前記既存ブラウザー１０に付加される追加機能である。これは前記ブラウザー１０に用意されているソフトウェア・フック（外部のソフトウェア・モジュールによって追加機能を実行できるブラウザーの動作ポイント）に前記追加機能を取り付けることによって達成される。前記のようなフックが用意されていない場合には、ドメスティック・ブラウザー１２の開発者は既存のブラウザーを拡張してかかるフックを用意する必要がある。前記追加機能モジュール（プラグインＤＯＭＢＯＵＴ１２ｂ）からの指示により、ＳＩＭブラウザー１０がまずドメスティック・サイト１４をチェックし要求されたページが保存されているか否かを確認する。要求されたページが保存されている場合には、取り出されてＳＩＭカード２ａの入力メッセージ・バッファーに保持され、正しく取得されたページとしてＳＩＭブラウザー１０によって処理される。前記により特定のページを閲覧するのに要する時間が大幅に縮小される。
【００２７】
ドメスティック・サイト１４はページ管理を担当する。前記サイトは、入力メッセージによって命令されたとき、ページの追加/削除/アップデートを実行するのに必要な機能を備えている。ＳＩＭブラウザー１０に送られたページは、まずこのブラウザー・モジュールによって捕捉される。前記モジュールは、前記入力メッセージの通常のページに命令が組み込まれているか否かをチェックする。追加/削除/アップデート等のコマンドを検出した場合には、当該コマンドを実行しそのコマンドに規定されている結果を得る。また、前記モジュールはデフラグおよび索引ファイル（ドメスティック・サイトの利用可能ページを示す）の管理などのメモリー管理も行う。追加、削除、およびアップデート・コマンドをサポートする他、前記モジュールは、パージ（ドメスティック・サイト１４からすべてのページを削除し、索引ファイルＥＦＵＲＬ１４ａを消去する）、統計（ドメスティック・サイト１４の現況の詳細を示す）、確認通知（実行したコマンドの正常または異常終了応答を生成する）コマンドのような幾つかの別のコマンドもサポートする。
【００２８】
前記例示の実施の形態は、既存のカードにソフトウェアを追加することにより提供される。ブラウザーが既に存在している場合には、ハードウェアを追加する必要はない。
【００２９】
アプリケーションまたはＵＲＬの削除、アップデート、またはダウンロードの発生およびその頻度、およびアプリケーションまたはＵＲＬを削除、アップデート、またはダウンロードするきっかけは専ら前記オペレーターによって決定され開始される。前記はモバイル機器ユーザーの介入なしに行われ、多分ユーザーはそのことに気付くこともない。
【００３０】
通常のキャッシュから想定される機能と異なり、本発明のキャッシュのコンテンツは必ずしもモバイル機器ユーザーによって決定される訳ではない。単に先入れ先出し、先入れ後出し、またはローエスト・ユーセージ・アウト（利用頻度の少ないものから順に削除）の問題ではない。むしろ、本発明のこの実施の形態においては、キャッシュ全体のコンテンツはモバイル・オペレーターによって決定される。
【００３１】
前記において、ドメスティック・サイトのコンテンツは、電話サービス提供会社の命によって変更されるとのみ説明した。しかし、ユーザーが特定のＷＭＬページの閲覧要求を送出したとき、削除、アップデート、またはダウンロードが開始される場合がある。ＤＯＭＢＩＮプラグインが前記削除/アップデート/ダウンロード要求の結果を返すことができる。
【００３２】
図４は本発明によるブラウジング・システムを示す概略図である。図４には、図１に示す周知のブラウジング・システムのコンポーネントと同じコンポーネントが幾つか含まれており、それらのコンポーネントには同符号が付してある。しかし、ＳＩＭカード２ａが図１のものと異なる他、図４はドメスティック・ブラウザー・サービス・センター１６、オペレーターＷＭＬデータベース１８、およびＳＴＡゲートウェイ２０を含んでいる。ＳＴＡゲートウェイは、ＷＩＧサーバーを備えていない通信事業者に対し、ユーザー要求に応える手段を提供するものである。
【００３３】
ＳＴＡゲートウェイの場合、ＵＲＬ要求がＳＩＭブラウザー１０に送出されると、図２に関連して説明したように、ドメスティック・サイト１４がチェックされる。しかし、要求されたＵＲＬがファイルＥＦＵＲＬ１４ａに保存されていない場合には、前記ＵＲＬ要求がＳＭＳ信号としてモバイル・オペレーターのＳＭＳＣ３に送信され、そこからＳＴＡゲートウェイ２０にパスされ、更にそこから別のコンテンツ・プロバイダー２２に直接送信される。
【００３４】
その後、検索されたコンテンツがＳＴＡゲートウェイによって、ＳＭＳＣ３を介し、ドメスティック・ブラウザーが理解できるバイトコード・フォーマットで電話機１およびＳＩＭカード２ａに返される。ＷＩＧと異なり、ＳＴＡゲートウェイは（メニューのような）散発的なステップを生成することはできない。一般に、ＳＴＡゲートウェイは、何等かの情報を要求している最終ＳＭＳを受信し、前記情報をドメスティック・ブラウザーが理解できるフォーマットで返送する。
【００３５】
オペレーターはサービス・センター１６を備えている。サービス・センター１６は、オペレーターがＳＴＡゲートウェイのみを備えている場合、またはＷＩＧを利用できない場合に必要である。サービス・センター１６は利用が見込まれるすべてのＷＭＬ/バイトコード・ページを保存している別のソフトウェア・ユーティリティーである。前記ユーティリティーにより、オペレーターはＷＩＧを使用せずにドメスティック・サイトのページを削除/アップデート/ダウンロードできる。
【００３６】
ＳＩＭカード２ａとサービス・センター１６との間のトラヒックは、すべてサービス・センター１６からＳＩＭカード２ａに向けた片方向である。
【００３７】
ドメスティック・ブラウザー・サービス・センター１６は、オペレーターのＷＭＬページを収容しているＷＭＬデータベースに接続されている。前記各々のＷＭＬページはそれぞれ一連のバイトコードを含み、前記各々のバイトコード・セットが固有のＵＲＬによって識別可能ある。ＳＩＭカード２ａのデータをアップデートする場合、サービス・センター１６がＷＭＬデータベース１８から当該ＵＲＬおよびバイトコードをダウンロードし、携帯電話機１に送信する。前記バイトコードは一般に長いため、例えば、連結ＳＭＳ−ＰＰのようにパケット化して送信される。
【００３８】
宛先の電話機１が前記ＳＭＳ−ＰＰを受信すると、そのＵＲＬおよびバイトコードを１つ以上のメッセージを仮想封筒に保存するＥＮＶＥＬＯＰコマンドと共にＳＩＭカード２ａに送信する。送信されたＷＭＬページに応じ、ＳＩＭブラウザー１０は、そのコンテンツを処理しユーザーに表示するのか、保存されているＵＲＬおよびデータを単にアップデートまたは削除するコマンドであるか、あるいは新しいＵＲＬおよびデータをＳＩＭカードのドメスティック・サイト１４にダウンロードするのかを読み取ることができる。
【００３９】
電話機におけるページの処理方法は、サービス・センターから送付されたものか、あるいはＷＩＧを経由したものかに関わらず、そのページのコンテンツ、特に３つのパラメーター・プラグイン、Ｐ１（Ａｄｄ/Ｄｅｌｅｔｅのようなコマンド）、Ｐ２（Ｅｘｅｃｕｔｅ）、およびＰ３（Ａｃｋｎｏｗｌｅｄｇｅ）の存在（または不在）に左右される。ＷＭＬページの設計者がドメスティック・サイト１４に対し、ページと共に、追加、アップデート、削除、あるいはその他のコマンドを送出したい場合には、当該ページのパラメーターＰ１にコマンドを定義することにより、当該ページはＳＩＭカード２ａのプラグインＤＯＭＢＩＮ１２ａに宛てたものであり、前記プラグインが指示したコマンドを実行する必要があることを知らせる。また、パラメーターＰ２を指示した場合には、ページ・コードそのものを追加または削除する前に実行する必要があることを意味する。Ｐ３はＰ１コマンドの実行結果が正常であったか、または問題があったことを示す確認通知をドメスティック・ブラウザーから取得する機能をバックエンドに提供する。別のプラグインを用いて動的メニューを作成し、ユーザー・プロファイルに従ってダウンロードすることもできる。
【００４０】
３つのパラメーターについて説明したが、パラメーターの数および機能は変更可能である。
【００４１】
前記実施の形態においては、ドメスティック・ブラウザー１２によって処理されるページは、オペレーターから直接、例えば、ドメスティック・ブラウザー・サービス・センター１６から供給される。以下に説明する別の実施の形態により、ドメスティック・ブラウザー１２によって処理されるページを別の情報源から取得できる。
【００４２】
図５ａおよび５ｂは、ページがＳＭＳＣ３からＳＩＭカード２ａのプラグインＤＯＭＢＩＮ１２ａに供給され処理される別の実施の形態の動作を示す概略図である。
【００４３】
図５ａは、まずページ０のＵＲＬが要求されたという仮定から始まっている。ステップＳ１において、行先をページ０に指定された命令を受信する。ステップＳ２において、要求されたページ０がドメスティック・ブラウザーに保存されているか否かを照会する。この場合、保存されていないと仮定し、ステップＳ３において、ＳＭＳＣおよびＷＩＧを介し前記周知の方法でＵＲＬ要求が送出される。次いで、ステップＳ４において、インターネット上の当該ページ０にアクセスして取得し、ステップＳ５において電話機１に返送する。ステップＳ６において、電話機１のＳＩＭブラウザー１０によって実行され表示される。更に、前記ページは、プラグインＤＯＭＢＩＮ１２ａによってドメスティック・ブラウザーのキャッシュ１４に付加される。
【００４４】
Ｓ４のボックスから分かるように、アクセスしたＵＲＬページ０には、前に説明した２つのパラメーター・プラグイン、Ｐ１（Ａｄｄ）およびＰ２（Ｅｘｅｃｕｔｅ）が含まれている。従って、ＳＩＭカードが前記ページを実行すると共に、プラグインＤＯＭＢＩＮ１２ａにパスしドメスティック・ブラウザーのキャッシュ１４に追加する必要がある。実行命令の一部として、“Ｄｉｓｐｌａｙ  Ｍｅｎｕ（メニューの表示）”および“ｇｅｔ  Ｕｓｅｒ  Ｉｎｐｕｔ（ユーザー入力の取得）”命令が含まれている。即ち、ＳＩＭブラウザー１０は、メニューを表示しユーザー入力を待つ必要がある。また、ページ０は（１）ｂａｌａｎｃｅ（残高）、（２）ｐａｙ  ｂｉｌｌｓ（手形支払）、および（３）ｔｒａｎｓｆｅｒ（送金）の３つのメニュー・オプションを備えている。各々のメニュー・オプションに対し、それぞれ異なる行先指定コマンドが関連付けられている。前記３つのオプションの行先はそれぞれＵＲＬページ１、ＵＲＬページ２、およびＵＲＬページ３である。ステップＳ６において、ユーザーに表示されるのは前記３つのオプションである。
【００４５】
次のステップは、ユーザーが前記３つの表示オプションから１つを選択することである。この場合、ユーザーは残高を選択したものとし、それによりステップＳ７においてページ１のＵＲＬ要求が送出される。次いで、ステップＳ８において、プラグインＤＯＭＢＩＮ１２ａが再度照会し、この場合、ドメスティック・ブラウザーのキャッシュ１４にページ１が保存されているか否かを確認する。保存されていない場合には、ステップＳ９において、当該ページをインターネットに要求するＳＭＳＣ、ＷＩＧ等を介した標準のＵＲＬ要求が送出され、以後このプロセスが継続する。
【００４６】
一方、図５ｂは、ページ０が、例えば、以前にアクセスされ図５ａに示すプロセスによって（プラグインパラメーターＰ１が存在していたため）既にドメスティック・ブラウザーのキャッシュ１４に追加されている場合を示している。図５ｂにおいて、ステップＳ１およびＳ２は図５ａと同じである。しかし、ステップＳ２の応答が肯定であるため、ページ０をドメスティック・ブラウザーのキャッシュ１４のファイルＥＦbytecode１４ｂから直ちに取り出しステップＳ６において前記と同様に表示できる。ステップＳ７、Ｓ８、およびＳ９は前記と同じである。
【００４７】
概略図６ａおよび６ｂを参照しながら、本実施の形態の動作について更に説明する。
【００４８】
図６ａにおいて、メインメニュー２００のＵＲＬ要求がなされている。前記メニューがドメスティック・ブラウザーのキャッシュ１４に保存されていない場合、前記要求はＳＭＳＣおよびＷＩＧを介して送出される。次いで、当該メインメニュー・ページ２０２が検索されＳＩＭカードに返される。図５ａおよび５ｂのページ０同様、このページはメニューを表示しユーザー入力を取得することを要求している。
【００４９】
最初のメニュー項目は“Ｂａｎｋｉｎｇ（銀行取引）”であり、別の２つの項目がそれに続いている。前記３つの項目の行先はそれぞれページ１、ページ２、およびページ３である。
【００５０】
ページ２０４は表示されたメニューであり、ユーザーがメニュー項目“Ｂａｎｋｉｎｇ”を選択すると、ページ１のＵＲＬ要求が送出される。ページ１が要求されたのはこれが初めてである（また、オペレーターによって前記キャッシュにダウンロードされていない）とすれば、プラグインＤＯＭＢＯＵＴ１２ｂが要求されたページのＵＲＬをファイルＥＦＵＲＬ１４ａから探し出すことができず、ＳＭＳＣおよびＷＩＧを介して前記ページ１のＵＲＬ要求を送出する必要がある。
【００５１】
ページ１（ＰＧ１）は、Ｐ１（Ａｄｄ）およびＰ２（Ｅｘｅｃｕｔｅ）という２つのパラメーター・プラグイン、並びに２つのメニュー項目を有し、ユーザー入力を要求している。ページ１が検索されＳＩＭカード２ａに返送されると、２つのメニュー項目“Ｂａｌａｎｃｅ  Ｉｎｑｕｉｒｙ（残高照会）”および“Ｂｉｌｌ  Ｐａｙｍｅｎｔ（手形支払い）”を備えたページ２０８として電話機のスクリーンに表示される。その後、そこからプロセスが継続される。ここまでは、要求されダウンロードされるものは周知のシステムと殆ど変わらない。しかし、ページ２０４が表示された後は、“Ｂａｎｋｉｎｇ”項目を選択しても、インターネットからページ１を探し出してダウンロードする必要はない。代わりに、プラグインＤＯＭＢＯＵＴ１２ｂによって直ちに探し出され表示される。
【００５２】
一方、図６ｂはページ１がアップデートされているときのプロセスを示している。この場合、要求２００は図６ａと同じである。しかし、インターネット上のページ２０２ａ（ページ０のコンテンツ）が変更されているため、第１オプションを選択しても行先がページ１ではなくページ１０となる。
【００５３】
その後表示されるページ２０４は前記とまったく同じである。しかし、“Ｂａｎｋｉｎｇ”を選択すると、ページ１の要求ではなく、ページ１０に対する要求が送出される。ページ１は既にドメスティック・ブラウザーのキャッシュ１４に保存されているが、もはや該当ページではないため、プラグインＤＯＭＢＯＵＴ１２ｂはそれを無視する。代わりに、ページ１０（ＰＧ１０）のＵＲＬ要求が送信され、ページ１０がアクセスされインターネットから取得される。この場合、ページ１０は様々なコマンドを含んでいる。まず、前記ページは、ドメスティック・ブラウザーのキャッシュ１４からページ１を削除するプラグインＤＯＭＢＩＮ１２ａに対する命令を含んでいる。第２に、ドメスティック・ブラウザーのキャッシュ１４にページ１０を追加するプラグインＤＯＭＢＩＮ１２ａに対する命令、およびページ１０を実行するＳＩＭブラウザー１０に対する命令を含んでいる。
【００５４】
表示されるページ１０のコンテンツも多少異なっている。この場合、最初の項目はページ１の“Ｂａｌａｎｃｅ  Ｉｎｑｕｉｒｙ”ではなく、“Ｖｉｓａ  Ｐａｙｍｅｎｔ（ＶＩＳＡ支払い）”である。ページ１０に依然として存在している“ＢｉｌｌＰａｙｍｅｎｔ”の行先はページ１の場合と同じページＢ２であるが、“Ｖｉｓａ  Ｐａｙｍｅｎｔ”を選択すると行先が別のページＢ１１になる。ページ１０が検索されＳＩＭカードにダウンロードされると、新しいページ２１２が表示されるよう様々なコマンドが実行される。その後の動作として、表示２０４から再度“Ｂａｎｋｉｎｇ”が選択された場合、システムはページ１０（ＰＧ１０）を介さずに直接表示２１２に至る。
【００５５】
図６ｂはモバイル機器ユーザーの行為に伴うドメスティック・ブラウザー側のページ１からページ１０へのアップデートを示している。図７はアップデートがドメスティック・ブラウザーにプッシュされる別の形態を示す概略図である。この場合、ページ１０を検索し、ドメスティック・ブラウザー・サービス・センターまたはＷＩＧから携帯電話に送信するのはモバイル・オペレーターである。結果は図６ｂと同様である。ページ１がドメスティック・ブラウザーのキャッシュから削除され、代わりにページ１０が保存される。しかし、その時ユーザーが特定のアプリケーションを実行していなければ、ページ１０は直ちに実行はされない。
【００５６】
図８は本発明を用いて動的メニューを作成する方法を示す概略図である。動的メニューの効果は二人のユーザーが同じ選択をしても異なる結果が得られることである。例えば、図８は両ユーザー対し最初に検索されたスクリーン５０が、“Ｂａｎｋｉｎｇ”、“ＩＯＤ”、および“Ｒｅｍｉｎｄｅｒｓ（督促状）”という３つのオプションを備えた同じスクリーンであることを示している。どちらか一方のユーザーが“Ｂａｎｋｉｎｇ”を選択すると、“Ａｃｃｏｕｎｔ  Ｂａｌａｎｃｅ（口座残高）”、“Ｂｉｌｌ  Ｐａｙｍｅｎｔｓ”、および“Ｌａｓｔ  ｆｉｖｅ  ｔｒａｎｓａｃｔｉｏｎｓ（５つの最新取引）”という３つのオプションを備えたスクリーン５２が表示される。しかし、前記ユーザーの事情がそれぞれ異なっているため、“Ａｃｃｏｕｎｔ  Ｂａｌａｎｃｅ”オプションが選択されたときに要求されるＵＲＬはそれぞれ異なる。ユーザー１の場合、次のスクリーン５４には、“Ｓａｖｉｎｇｓ（普通預金）”、“Ｃｕｒｒｅｎｔ（当座預金）”、および“Ｆｉｘｅｄ  ｄｅｐｏｓｉｔｓ（定期預金）”という３つのオプションが表示される。それに対し、ユーザー２に対する次のスクリーン５６には“Ｖｉｓａ”および“Ｓａｖｉｎｇｓ”という２つのオプションしか表示されない。任意のユーザーに対する動的メニューは、ユーザーが通常選択するオプション、または（恐らく、別の当事者からの強い要請を受けて）オペレーターがユーザーに選択させたいと考えるオプションに応じて作成できる。
【００５７】
前記実施の形態においては、一連の当該ページのうちの１ページのみをドメスティック・ブラウザーのキャッシュ１４にダウンロードすることを説明したが、一般には多くのページがダウンロードされる。例えば、前記銀行取引オプションの場合、特定口座の残高照会、パスワードの送出、具体的に情報をアップデートする必要がある行為を為すため、あるいは口座明細の確認のため、ＳＩＭブラウザーが最初にＵＲＬ要求を送出したときにページ１〜１０すべてをダウンロードし保存できる。
【００５８】
前記一部の実施の形態において、ドメスティック・ブラウザーのキャッシュ１４をアップデートする決定を下すのはＷＭＬページを書いた人である。しかし、アップデート命令の使用は控える必要がある。そうしないと前記キャッシュが急激に一杯になってしまう。アップデートの決定は、ページをダウンロードする基準を作成するオペレーターに委ねることが好ましい。
【００５９】
本発明において、ＳＩＭブラウザー１０に対し、ＷＭＬページに関連したバイトコードのダウンロードまたは削除を頻繁に行うと、ファイルＥＦbytecode１４ｂのメモリーがフラグメント化する。それ故、別の実施の形態におけるＳＩＭブラウザー１０はメモリーをデフラグする手段を備えている。前記デフラグは、別のオプションも可能であるが、ドメスティック・ブラウザーの標準機能として自動開始される。
【００６０】
前記実施の形態において、ＳＩＭブラウザー１０は、プラグインＤＯＭＢＯＵＴ１２ｂからの否定応答を待ってからＳＭＳＣにＵＲＬ要求を送信する。更に別の実施の形態において、前記ＵＲＬ要求をプラグインＤＯＭＢＯＵＴ１２ｂにパスすると同時に送信し、次いで前記プラグインからの応答が肯定の場合、前記要求を取り消すことができる。前記により、プラグインＤＯＭＢＯＵＴ１２ｂの検索による遅延を回避できる。
【００６１】
本発明の特徴は以下のように要約することができる。
【００６２】
１．ＵＲＬ情報/データをキャッシュ・ファイルに保存できる。
【００６３】
２．ユーザーからのＵＲＬ要求をシステムがブラウザーを介して捕捉し、既にキャッシュ・ファイルに保存されている情報の中に当該ＵＲＬ情報があればそれを取得する。
【００６４】
３．オペレーターが、システムによって新しいアプリケーション、個別ページまたは一組のページ、即ち、同一ＷＭＬページ内の一連のページを無線通信によってダウンロード開始できる。
【００６５】
４．オペレーターが、システムによってキャッシュ・ファイルに保存されている既存アプリケーション、個別ページまたは一組のページをモバイル通信によってアップデート開始できる。
【００６６】
５．オペレーターが、システムによってキャッシュ・ファイルに保存されている既存アプリケーション、個別ページまたは一組のページをモバイル通信によって削除開始できる。
【００６７】
ドメスティック・ブラウザー技術によってもたらされるキャッシング機構を利用し、頻繁にアクセスされる情報をモバイル・カード２ａに常駐させることにより、遠隔地に存在しているページにアクセスする際に必要となる時間および回線容量を節約できる。このことは、変更されていない情報を費用が嵩む無線通信によって重複して検索する必要性を排除できるため非常に有益である。
【００６８】
また、本発明は利用が容易であると共に、サービス管理および保守も容易である。既存のＳＡＴ手順とは大きく異なり、ドメスティック・ブラウザー技術により、オペレーターは、加入者の介入を必要とせずかつ強制的な方法によらず加入者のＳＩＭカード上の既存アプリケーションの管理および保守を遠隔地から実施できる。前記管理および保守には無線によるアプリケーションのアップグレード、削除、および新しいアプリケーションのダウンロードが含まれている。これは新しいアプリケーションをカードにロードする場合、配線接続が必要である現状とは対照的である。前記柔軟性は、それによってコスト、時間、および資源が節約されると共に、モバイル・ユーザーにとって魅力あるものとなるため非常に重要である。
【００６９】
更に、ドメスティック・ブラウザーは、既存のＳＩＭブラウザーの機能を単に拡張したもの過ぎないため、既存技術およびインタフェースの大部分を利用できる。
【００７０】
本発明はサービス提供者に対し主要な追加機能を備えるための手段を明示することにより、ユーザーが頻繁に利用するか、またはユーザーから頻繁に要求されるサービスを、例えば、ＳＩＭカードにダウンロードできるようにしたため、サービス提供者はそれぞれのユーザーの個々のサービスの管理をすることができる。従来、かかるサービスはＳＩＭアプリケーション・ツールキットを用いて開発されていた。かかるサービスの利点はスピードが速いことである。しかし、同時に無線通信を介して変更またはアップデートすることが非常に困難でもある。数十万のユーザーを抱えている場合、前記ツールキットによるアプリケーションの変更またはアップデートは事実上不可能である。
【００７１】
ブラウザー技術が新しい手法をもたらした。これにより、サービスの完全なロジックをバックエンドのサーバーに取り込み、ＳＩＭアプリケーション・ツールキットをベースにした変更を必要としないブラウザーが実際に創出された。これにより、サービス・ロジックの変更が可能となり、ＳＩＭカードの変更を必要とせずに、新しいサービスをすべてのユーザーに対し容易に提供できる。しかし、この方法はブラウザーがサービス・ロジック（次に実行すべきこと）に関しバックエンドのサーバーと数回交信する必要があるため（時には容認し難い程度まで）スピードが遅くなるという欠点を有している。本発明のドメスティック・ブラウザー技術は、両技術の長所を取り入れスピードの速いアップデート可能なサービスを提供する。
【００７２】
本発明の態様例を幾つか説明してきたが、特許請求の範囲に明記する本発明の範囲において、更に多くの態様が考えられ得ることは明白である。
【図面の簡単な説明】
【００７３】
【図１】従来技術によるブラウジング過程を示す概略図。
【図２】本発明によるＵＲＬ要求の態様を示す概略図
【図３】本発明の１つの実施の形態によるキャッシュ変更態様を示す概略図。
【図４】本発明によるブラウジング過程を示す概略図。
【図５ａ】本発明の別の実施の形態における動作態様を示す概略図。
【図５ｂ】本発明の別の実施の形態における動作態様を示す概略図。
【図６ａ】本発明の別の実施の形態におけるアップデート操作を示す概略図。
【図６ｂ】本発明の別の実施の形態におけるアップデート操作を示す概略図。
【図７】本発明の別のアップデート操作を示す概略図。
【図８】本発明を用いて動的メニューを作成する方法を示す概略図。
【符号の説明】
【００７４】
１        携帯電話機
２        ＳＩＭカード
２ａ      本発明のＳＩＭカード
３        ＳＭＳＣ
４        ＷＩＧ
５        サーバー
１０        ＳＩＭブラウザー
１２        ドメスティック・ブラウザー
１４        ドメスティック・サイト
１６        ドメスティック・ブラウザー・サービス・センター
１８        ＷＭＬデータベース
２０        ＳＴＡゲートウェイ
２２        コンテンツ・プロバイダー
【図１】
2005524898.tif 000003
【図２】
2005524898.tif 000004
【図３】
2005524898.tif 000005
【図４】
2005524898.tif 000006
【図５ａ】
2005524898.tif 000007
【図５ｂ】
2005524898.tif 000008
【図６ａ】
2005524898.tif 000009
【図６ｂ】
2005524898.tif 000010
【図７】
2005524898.tif 000011
【図８】
2005524898.tif 000012
【国際調査報告】
2005524898.tif 000013
2005524898.tif 000014
2005524898.tif 000015
2005524898.tif 000016
2005524898.tif 000017